(57)【要約】      （修正有）【課題】広告媒体の交換が容易で、幟竿を任意の長さに伸縮保持ができる簡易幟を提供する。【解決手段】広告媒体２を布地でなく紙製若しくはプラスチック製のシート状とし、広告媒体２を挟持するクリップ３を幟竿４に着脱自在に取り付けた簡易幟であって、幟竿４を外筒５と内筒６にて構成し、外筒５内に入れ子状に嵌入する内筒６の基端に突合せ端を接合しない薄板金属板を固着し、外筒５内の任意の箇所にて薄板金属板の弾発によって外筒５の内周面５ａを圧接し、内筒６の移動を規制するようにし、広告媒体２を展示する場所の広さや高さに応じて幟竿４を任意長さに伸縮保持を可能とした簡易幟。【選択図】図１
0003134301.tif 000002
【実用新案登録請求の範囲】
【請求項１】
縦長長方形状の紙製又はプラスチックシート状の広告媒体を、その長辺側でプラスチック製のクリップにて狭持して幟竿に着脱可能に取り付けた簡易幟であって、幟竿を外筒と該外筒に摺接して嵌入する入れ子式の内筒で構成し、該内筒の基端に形成した係止段部に一端を当接する薄板金属板を内筒の外周面に固着した簡易幟。
【請求項２】
外筒の先端部に、内筒が密に摺接する先端径小部と中間径小部を所定距離Ａを介して形成した請求項１に記載の簡易幟。
【請求項３】
薄板金属板は内筒の外周面に沿って巻き付き状に固着され、その突合せ端を接合しない自由端とした請求項１に記載の簡易幟。
【請求項４】
薄板金属板は銅板である請求項１又は請求項３に記載の簡易幟。
【考案の詳細な説明】
【技術分野】
【０００１】
本考案は、布製の幟旗に代って、紙製若しくはプラスチック製のシート状の広告媒体を挟持するクリップを幟竿に着脱自在に取り付けた簡易幟であって、幟竿を任意長さに伸縮保持を可能とした簡易幟に関するものである。
【背景技術】
【０００２】
一般に、幟旗は宣伝広告文や絵柄等を印刷した縦長長方形状の布地を用い、長辺側と短辺側に乳と称する複数の吊り環を設けたものが横竿と縦竿に装着した幟が使用されている。しかし乍、このような幟では幟旗の交換が煩雑で、幟が多数あるとその交換に手間がかかる点で改善を求められている。
【０００３】
最近では、布製の幟旗に代り、コストの安い紙製やプラスチック製シート状の幟旗の使用が求められており、例えば、実用新案登録第３１２０６４５号のような広告媒体の交換が簡単に出来る幟が提案されている。
【０００４】
また、縦長長方形状の広告媒体を幟竿に取り付ける手段として、例えば、特開２００６−１１９１６１号公報に示されるようなクリップが用いられ、該クリップの先端にて広告媒体の長辺側を狭持し、クリップの基端側を幟竿に取り付ける構成のものが提案されている。
【０００５】
しかし、幟はあくまで宣伝広告用の媒体でしかなく、広告主にとってはコストの削減は当然の課題である。簡単に広告媒体の交換が出来、しかもコストの低減に繋がる幟を要請されている。とりわけ、パチンコ店やスロット店などでは台の入れ替え毎に宣伝広告は必要となり、店内にあってはキャンペーンとして台毎にミニ幟を立てて客の誘致を図っている。使用される幟も台数分必要となり、畢竟コストの改善が急務とされている。
【特許文献１】登録実用新案第３１２０６４５号公報
【特許文献２】特開２００６−１１９１６１号公報
【考案の開示】
【考案が解決しようとする課題】
【０００６】
そこで、本考案は上記実情に鑑み、幟旗自体を容易に作製できる紙製或いはプラスチックシート状の縦長の長方形形状とし、幟竿にクリップでその長辺側を簡単に狭持できる構成とし、遊技店内で簡単に交換できるようにした。
【０００７】
しかも、幟竿自体を伸縮可能として、使用する店内の広さや高さに応じて幟竿を任意の長さに伸縮保持を可能とした簡易幟を提供することを目的とするものである。
【課題を解決するための手段】
【０００８】
本考案は、縦長長方形状の紙製又はプラスチックシート状の広告媒体を、その長辺側でプラスチック製のクリップにて狭持して幟竿に着脱可能に取り付けた簡易幟であって、幟竿を外筒と該外筒に摺接して嵌入する入れ子式の内筒で構成し、該内筒の基端に形成した係止段部に一端を当接する薄板金属板を内筒の外周面に固着した構成とした。
【０００９】
また、本考案は外筒の先端部に、内筒が密に摺接する先端径小部と中間径小部を所定距離Ａを介して形成して内筒のガタを防ぎ、更に、薄板金属板は銅板にて形成し、内筒の外周面に沿って巻き付き状に固着し、その突合せ端を接合しない自由端として形成した。
【考案の効果】
【００１０】
本考案では、このように構成したことで幟竿を任意の長さに伸張したい場合、内筒を基端に介装したスプリング作用を呈する薄板金属板に抗して引き伸ばすことで、内筒が摺接する外筒の内周面に向かって薄板金属板が弾発し、内筒を外筒の内周面に圧接して固定することが出来る。また、幟竿を縮めたい場合は逆に、内筒を薄板金属板の弾発に抗して外筒内に押し込むことで任意の長さに縮め、前記と同様に薄板金属板の弾発作用で内筒を外筒の内周面に圧接して固定する。
【考案を実施するための最良の形態】
【００１１】
以下、本考案の簡易幟を実施例の図に基づいて説明すれば、次の通りである。
図１及び図２は本考案の幟の使用状態を示し、図１は幟竿を伸張していない状態、図２は幟竿を任意の長さ伸張した状態を示す。
【００１２】
１は簡易幟で、縦長長方形状の紙製或いはプラスチック製のシートからなる広告媒体２を、その長辺側２ａを少なくとも２箇所のクリップ３にて狭持して幟竿４に着脱自在に取り付けられている。該幟竿４は、図３及び図４に示すように、金属製の外筒５と該外筒５に摺接して嵌入する入れ子式の金属製の内筒６とで構成され、内筒６は基端を係止段部７を備えたリブ８が形成され、内筒６の外周面６ａに沿って銅製の薄板金属板９が巻着され、その一端が内筒６の外周面６ａに固着されており、外筒５の内周面５ａに弾発して圧接するスプリング作用を行うよう介在されている。
【００１３】
該薄板金属板９は、適宜な弾発力を発揮できる材料であれば銅板に限定されない。また、薄板金属板９は図６に示すように、その突合せ端９ａを接合せず、自由端としスプリング作用を行わせている。１０は外筒５の基端に固着された盲である。
【００１４】
また、外筒５の先端部には圧入して形成した先端径小部１１と中間径小部１２が距離Ａを介して形成され、外筒５内を摺接する内筒６は、基端の薄板金属板９の先端縁９ｂが中間径小部１２と当接することで位置規制されている。
【００１５】
更には、外筒５内に嵌入する内筒６は、長さ方向に任意の長さを伸張させた場合、外筒５の内周面５ａと、内筒６の基端に形成したリブ８の係止段部７と該係止段部７にて一端を保持された薄板金属板９にて外筒５と緊密に摺接し、且つ外筒５の先端部に距離Ａを介して設けた２つの径小部１１、１２とで内筒６の外周面６ａと緊密に摺接し、且つ内筒５の基端に介装した薄板金属板９の弾発作用と相俟って、内筒６の揺動やガタを規制している。
【００１６】
また、内筒６を任意の位置まで伸張する場合、基端に介装されたスプリング作用を呈する薄板金属板９が外筒５の内周面５ａに摺接して伸張するので、薄板金属板９は内筒６の外周面６ａに押し潰されるように圧接されスプリングの弾発が解消される。かくして、内筒６は外筒５内を比較的抵抗もなくスライドして伸張され、任意の箇所で止ると薄板金属板９の弾発で外筒５の内周面５ａに圧接され、その位置を保持して任意の位置で内筒６を固定することが出来る。よって、幟竿４は任意の位置で固定され広告媒体２を伴って展示される。
【００１７】
また、店内の広さ等で幟竿４を縮めたい場合は、前記と逆に内筒６を押し戻し、前記と同様の作用にて任意の位置で幟竿４を固定することが可能となる。
【００１８】
図８は幟竿４に係止されるクリップを示し、紙製或いはプラスチックシート製の広告媒体２の長辺側の一端２ａを少なくとも２個のクリップ１３にて狭接した状態で幟竿４を構成する内筒６の所定の箇所に嵌着することで固定する。
【００１９】
該クリップ１３は軟質プラスチック製で、幟竿４を構成する内筒６に対しクリップ１３の狭接片１３ａの基端部に形成された切欠した円弧状の把持片１３ｂを押し広げながら嵌入することで内筒６に嵌合固定される。同時に、内筒６に嵌合されたときに切欠した円弧状の把持片１３ｂは内筒６の径に対して押し開かれて嵌入するため、クリップ１３の支点となる中間部１３ｃを介して先端の向き合った狭接片１３ａ同志が挟み合う作用を呈し、狭接した広告媒体２を強固に保持できる。
【００２０】
図１０は本考案の幟竿４を保持する保持具１４を示し、該保持具１４は設置すべき店内の壁面等に接合面１４ａを両面粘着テープ（図示せず）やビス（図示せず）にて固定される。保持具１４は、展示効果を得るため任意の角度に傾斜して幟竿４を保持するガイド孔１４ｂと保持孔１４ｃが形成されている。
【図面の簡単な説明】
【００２１】
【図１】本考案の簡易幟の全体図である。
【図２】同簡易幟の幟竿を伸張した状態の全体図である。
【図３】同幟竿の全体構成を示す概略図である。
【図４】同幟竿の外筒と内筒の係合状態の断面図である。
【図５】同幟竿の内筒の断面図である。
【図６】同幟竿の内筒の基端に装着される薄板金属板の斜視図である。
【図７】同幟竿を伸張したときの外筒と内筒の係合状態を示す断面図である。
【図８】同幟竿に装着されるクリップの斜視図である。
【図９】同クリップが広告媒体を狭持している状態の説明図である。
【図１０】同幟竿の保持具の斜視図である。
【符号の説明】
【００２２】
１    簡易幟
２    広告媒体
３    クリップ
４    幟竿
５    外筒
５ａ  外筒の内周面
６    内筒
６ａ  内筒の外周面
７    係止段部
９    薄板金属板
９ａ  突合せ端
１１  先端径小部  
１２  中間径小部  
Ａ    距離  
【図１】
0003134301.tif 000003
【図２】
0003134301.tif 000004
【図３】
0003134301.tif 000005
【図４】
0003134301.tif 000006
【図５】
0003134301.tif 000007
【図６】
0003134301.tif 000008
【図７】
0003134301.tif 000009
【図８】
0003134301.tif 000010
【図９】
0003134301.tif 000011
【図１０】
0003134301.tif 000012